(57)【要約】【課題】内輪に設けられる止めねじ螺合用のねじ孔を工夫して、部品数を増やすことなく、かつ、加工の複雑化を招くことなく、止めねじの緩み止め効果を発揮できるようにしたインサート軸受ユニット用転がり軸受を提供する。【解決手段】内輪３に設ける止めねじ螺合用のねじ孔８を、転がり軸受の軸心に直交する基準線Ｌに対して当該ねじ孔８の内端が内輪３のねじ孔設置側の端面に近づく方向に傾斜させ、そのねじ孔８を外径側ねじ部８ａとそれに連なる内径側ねじ部８ｂとで構成し、前記外径側ねじ部８ａのねじ山のピッチＰ１と内径側ねじ部８ｂのねじ山のピッチＰ２を異ならせた。【選択図】図３
2020139570.tif 000002
【特許請求の範囲】
【請求項１】
外輪（２）と、回転軸（Ａｒ）の外周に固定する内輪（３）と、前記外輪（２）と内輪（３）間に介在される転動体（４）と、その転動体（４）を保持する保持器（５）と、前記外輪（２）と内輪（３）間のグリース封入空間を封鎖する密封装置（６）と、止めねじ（７）とからなり、
前記止めねじ（７）を、前記内輪（３）に、その内輪（３）の外径面から内径面に貫通して設けられたねじ孔（８）にねじ込み、その止めねじ（７）の先端を前記内輪（３）の内側に挿通される回転軸（Ａｒ）に押し付けて前記回転軸（Ａｒ）を前記内輪（３）に固定するインサート軸受ユニット用の転がり軸受であって、
前記内輪に設けられた前記ねじ孔（８）が、外径側ねじ部（８ａ）とその外径側ねじ部（８ａ）に連なる内径側ねじ部（８ｂ）とからなり、
前記ねじ孔（８）は、転がり軸受の軸心に直交する基準線に対して当該ねじ孔（８）の内端が前記内輪（３）のねじ孔設置側の端面に近づく方向に傾斜しており、
前記ねじ孔（８）の前記外径側ねじ部（８ａ）のねじ山のピッチ（Ｐ１）と前記内径側ねじ部（８ｂ）のねじ山のピッチ（Ｐ２）が異なるインサート軸受ユニット用転がり軸受。
【請求項２】
前記ねじ孔（８）の前記外径側ねじ部（８ａ）と前記止めねじ（７）の外周の雄ねじ（７ｂ）が同一規格のねじとして構成された請求項１に記載のインサート軸受ユニット用転がり軸受。
【請求項３】
前記ねじ孔（８）の前記外径側ねじ部（８ａ）のねじ山のピッチ（Ｐ１）よりも、前記内径側ねじ部（８ｂ）のねじ山のピッチ（Ｐ２）が小さい請求項１又は２に記載のインサート軸受ユニット用転がり軸受。
【発明の詳細な説明】
【技術分野】
【０００１】
この発明は、インサート軸受ユニット用転がり軸受に関する。
【背景技術】
【０００２】
転がり軸受と軸受箱を組み合わせたインサート軸受ユニットの転がり軸受を回転軸に固定する方法のひとつに、転がり軸受の内輪を止めねじで回転軸に固定する方法がある。
【０００３】
前記止めねじは、転がり軸受の安定した固定のために、緩み止めを施すことが要求される。転がり軸受の内輪を固定する止めねじに限らず、雌ねじにねじ込まれる雄ねじの緩みを嫌う用途は多々ある。
【０００４】
そこで、雌ねじにねじ込まれる雄ねじの緩みを防止する手法として、下記特許文献１〜３に記載された構造が考案されている。
【０００５】
特許文献１のころ軸受の管と管端保護具の連結構造は、雄ねじとその雄ねじをねじ込む雌ねじのねじ山のピッチを異ならせることで、雄ねじと雌ねじの締結時に両ねじのねじ山を干渉させ、干渉部に生じる接触圧を利用してねじの緩みを防止している。
【０００６】
また、特許文献２の機構に採用されている調整ねじの緩み防止は、雌ねじ部に、ねじ山の一部を他のねじ山部から独立させる間隔調整の可能なスリットを設け、そのスリットの間隔を変化させることで雌ねじのねじ山の一部を変位可能となし、そのねじ山の一部を変位させてねじ山のピッチを変更し、その変更により、雄ねじと雌ねじの締結時に両ねじのねじ山を干渉させてねじの緩みを防止している。
【０００７】
特許文献３の緩み止めスリーブも、ねじ山のピッチを変更し、その変更により、雄ねじと雌ねじの締結時に両ねじのねじ山を干渉させてねじの緩みを防止している。
【０００８】
その特許文献３が採用しているねじ山のピッチの変更は、一端側の内側にニップルのねじ部に螺合させる雌ねじを形成したスリーブの雌ねじ形成部の外周に突条を形成し、そのスリーブの一端側を縮径させることで前記突条を内側に向けて加圧する。これにより、スリーブが変形して突条に対応した位置の雌ねじのねじ山のピッチが広がり、雌ねじのねじ山のピッチが一部分で変化したものになる。
【先行技術文献】
【特許文献】
【０００９】
【特許文献１】特開２００４−０７６８０２号公報
【特許文献２】特開平０６−１０３９０５号公報
【特許文献３】実開平０５−０１９７８４号公報
【発明の概要】
【発明が解決しようとする課題】
【００１０】
雄ねじと雌ねじのねじ山のピッチを異ならせる特許文献１の技術や、雄ねじと雌ねじのどちらかのねじ山の一部分のピッチを変更する特許文献２、３の技術は、ねじの緩み止めに関して有効である。
【００１１】
しかしながら、雄ねじと雌ねじのねじ山のピッチを異ならせる方法は、雌ねじに対する雄ねじのねじ込みトルクが、ねじ込みの開始から終了までの全域で増大してねじ込み操作がし辛くなる欠点がある。
【００１２】
これに対し、雄ねじと雌ねじのどちらかのねじ山の一部分のピッチを変更する方法は、
ねじ山のピッチが変更された箇所のみでねじ込みトルクが増大するため、雄ねじと雌ねじのねじ山のピッチを異ならせる方法に比べてねじ込み操作がし易い。
【００１３】
しかしながら、インサート軸受ユニット用の転がり軸受では、内輪に設けるねじ孔の内輪内径面側からの加工が許容されない。当該転がり軸受の内輪に設けられる止めねじ螺合用のねじ孔は、内輪の軸心に対して直角になる向きに加工されている。そのようなねじ孔は、内輪内径面側から加工しようとすると寸法上の理由から、加工工具（タップ）の使用が許容されない。
【００１４】
そのため、入口側と出口側でねじ山のピッチが異なっているねじ孔をインサート軸受ユニット用転がり軸受の内輪に設けることは不可能と考えられ、そのようなねじ孔を有する
内輪を備えた転がり軸受は製造されていなかった。
【００１５】
なお、特許文献２に示されている調整ねじの緩み防止技術は、内輪のねじ孔加工側の内径部に、ねじ孔を横切るスリットと内輪の一端から軸方向途中に至る２条の割り溝（これもスリット）を加工してスリットの内側に片持ち支持の、前記ねじ孔の一部を備えた舌片を作り出し、さらに、前記スリットの間隔を変化させて前記舌片のねじ孔形成部を変位させるねじを設ける必要があり、インサート軸受ユニット用転がり軸受の内輪に適用するのは、部品数の増加の抑制や、加工の手間、コストなどを考えると現実的でない。
【００１６】
また、特許文献３の技術は、スリーブの外周に設けた突条を加圧してスリーブの一部を変形させ、その変形を利用してねじ山のピッチを変更するので、高剛性で変形し難い転がり軸受の内輪に適用することは難しい。
【００１７】
この発明は、上記の現状技術に鑑みてなされたものであって、内輪に設けられる止めねじ螺合用のねじ孔を工夫して、部品数を増やすことなく、かつ、加工の複雑化を招くことなく、止めねじの緩み止め効果を発揮できるようにしたインサート軸受ユニット用転がり軸受を提供することを目的としている。
【課題を解決するための手段】
【００１８】
上記の課題を解決するため、この発明においては、
外輪と、回転軸の外周に固定される内輪と、前記外輪と内輪間に介在される転動体と、その転動体を保持する保持器と、前記外輪と内輪間のグリース封入空間を封鎖する密封装置と、止めねじとからなり、
前記止めねじを、前記内輪に、その内輪の外径面から内径面に貫通して設けられたねじ孔にねじ込み、その止めねじの先端を前記内輪の内側に挿通される回転軸に押し付けて前記内輪に前記回転軸を固定するインサート軸受ユニット用の転がり軸受であって、
前記内輪に設けられた前記ねじ孔が、外径側ねじ部とその外径側ねじ部に連なる内径側ねじ部とからなり、
前記ねじ孔は、転がり軸受の軸心に直交する基準線に対して当該ねじ孔の内端が前記内輪のねじ孔設置側の端面に近づく方向に傾斜しており、
そのねじ孔の前記外径側ねじ部のねじ山のピッチと前記内径側ねじ部のねじ山のピッチが異なるインサート軸受ユニット用転がり軸受を提供する。
【００１９】
この転がり軸受は、好ましい態様として、前記ねじ孔の前記外径側ねじ部と止めねじの外周の雄ねじを同一規格のねじ（ねじ山の角度、高さ、ピッチが同じねじ）にしたものや、前記外径側ねじ部のねじ山のピッチに対して前記内径側ねじ部のねじ山のピッチを小さくしたものが考えられる。
【発明の効果】
【００２０】
この発明のインサート軸受ユニット用転がり軸受は、内輪に設けたねじ孔が転がり軸受の軸心に対して当該ねじ孔の内端が内輪のねじ孔設置側の端面に近づく方向に傾斜しているので、前記外径側ねじ部の加工を内輪の外径側から、前記内径側ねじ部の加工を内輪の内径側からそれぞれ行うことができる。
【００２１】
これにより、ねじ孔の外径側ねじ部のねじ山のピッチと内径側ねじ部のねじ山のピッチを異ならせることが可能になる。
【００２２】
このようにして、外径側ねじ部と内径側ねじ部のねじ山のピッチを異ならせたことで、外径側ねじ部から内径側ねじ部に螺合する位置まで止めねじがねじ込まれたときに雄ねじと雌ねじのねじ山の干渉が起こる。そのため、干渉部に接触圧が生じてねじの緩みが防止される。
【００２３】
なお、内輪が上記好ましい態様のねじ孔を備えた転がり軸受は、ねじ孔の外径側ねじ部が止めねじの雄ねじと同一規格のねじになっているので、止めねじが内径側ねじ部にねじ込まれるまでは（外径側ねじ部のみにねじ込まれている間は）ねじ込みトルクが上昇せず、ねじの回転操作を楽に行うことができる。
【００２４】
止めねじは、インサート軸受ユニットの出荷時には、紛失防止を目的として転がり軸受の内輪に加工されたねじ孔に途中までねじ込んで仮止めしておくことがなされており、その仮止めは、止めねじを外径側ねじ部のみに螺合するように行うことで、通常のねじ孔に同一規格の通常の止めねじを螺合させる場合と同じねじ込みトルクで止めねじをインサート軸受ユニットに仮止めすることができる。
【図面の簡単な説明】
【００２５】
【図１】この発明のインサート軸受ユニット用転がり軸受の一例を示す断面図である。
【図２】この発明の転がり軸受を用いたインサート軸受ユニットの一例を示す部分破断斜視図である。
【図３】この発明のインサート軸受ユニット用転がり軸受の内輪に設けられた止めねじ螺合用ねじ孔の一例を示す断面図である。
【発明を実施するための形態】
【００２６】
以下、添付図面の図１〜図３に基づいて、この発明のインサート軸受ユニット用転がり軸受の実施の形態を説明する。
【００２７】
図１に、この発明のインサート軸受ユニット用転がり軸受の一例を示す。
【００２８】
図示のインサート軸受ユニット用転がり軸受（以下では単に転がり軸受と言う）１は、玉軸受であり、外輪２、内輪３、外輪２と内輪３間に介在された転動体４、その転動体４を保持する保持器５、及び外輪２と内輪３間のグリース封入空間を封鎖する密封装置６及び止めねじ７からなる。
【００２９】
インサート軸受ユニット１０は、図２に示すように、例示したような転がり軸受１と鋳鉄や鋼板で形成された軸受箱１１とを組み合わせて構成される。
【００３０】
内輪３には、その内輪３の外径面から内径面に貫通したねじ孔８が設けられており、そのねじ孔８に止めねじ７がねじ込まれている。
【００３１】
ねじ孔８は、外径側ねじ部８ａとその外径側ねじ部８ａに連なる内径側ねじ部８ｂとからなる。
【００３２】
その外径側ねじ部８ａと内径側ねじ部８ｂは、それぞれのねじ部のねじ山のピッチＰ１とＰ２が異なっている。
【００３３】
例示のねじ孔８は、内径側ねじ部８ｂのねじ山のピッチＰ２を外径側ねじ部８ａのねじ山のピッチＰ１よりも小さくしている。
【００３４】
外径側ねじ部８ａは、通常の雌ねじとして構成されている。その通常の雌ねじは、例えば、ＪＩＳ規格のねじ山角６０°の基準山形の雌ねじ、具体的には、ＪＩＳ  Ｂ  ０２０５のメートルねじやＪＩＳ  Ｂ  ０２０６のユニファイねじである。
【００３５】
内径側ねじ部８ｂは、ねじ山角を外径側ねじ部８ａのねじ山角に合わせたものと、ねじ山の山高さを外径側ねじ部８ａのねじ山の山高さと合わせたものの２形態が考えられる。
【００３６】
内径側ねじ部８ｂのねじ山角を外径側ねじ部８ａのねじ山角に合わせたものは、内径側ねじ部８ｂのねじ山のピッチＰ２が外径側ねじ部８ａのねじ山のピッチＰ１よりも小さいため、ねじ山の山高さが外径側ねじ部８ａのねじ山の山高さよりも低くなる。
【００３７】
また、内径側ねじ部８ｂのねじ山の山高さを外径側ねじ部８ａのねじ山の山高さと合わせたものは、内径側ねじ部８ｂのねじ山角が外径側ねじ部８ａのねじ山角よりも小さくなる。
【００３８】
上記外径側ねじ部８ａは、ドリルで加工した下孔（図示せず）に内輪３の外径側から加工工具（タップ）を切り込ませて加工され、内径側ねじ部８ｂは、前記下孔に内輪３の内径側から加工工具を切り込ませて加工されている。
【００３９】
内輪３の内径側からの加工を可能となすために、ねじ孔８は、内輪３の軸心（図示せず）に直交する基準線Ｌに対して傾斜角αを有する孔にしている。
【００４０】
傾斜角αは、内径側ねじ部８ｂを加工する工具が内輪３に対して干渉しない大きさに設定される。その傾斜角αは、加工工具の干渉が回避される範囲で極力小さくすることが望ましい。
【００４１】
このようにして形成されたねじ孔８に止めねじ７がねじ込まれ、その止めねじ７を内輪３の内側に挿通される回転軸Ａｒに押し付けて内輪３が回転軸Ａｒに固定される。
【００４２】
例示のねじ孔８にねじ込まれる止めねじ７は、先端にボールで構成された圧子７ａを有する既知の止めねじである。
【００４３】
この止めねじ７の外周の雄ねじ７ｂは、ねじ孔８の外径側ねじ部８ａに合わせた規格の
ねじとなっている。
【００４４】
この止めねじ７を、ねじ山のピッチが異なる外径側ねじ部８ａと内径側ねじ部８ｂとで構成される図示のねじ孔８に内輪３の外径側からねじ込むと、その止めねじ７が内径側ねじ部８ｂに到達するまではねじ込みトルクが上昇せず、その止めねじ７の回転操作が楽に行える。
【００４５】
また、その止めねじ７が内径側ねじ部８ｂにねじ込まれると、外径側ねじ部８ａと内径側ねじ部８ｂのねじ山のピッチの違いにより止めねじ７の外周の雄ねじ７ｂとねじ孔８の孔面の雌ねじとの干渉が起こる。
【００４６】
その干渉により止めねじの固定力が増加し、緩み止め効果が発揮されて転がり軸受１で支えた回転軸Ａｒの安定した回転を長期に亘って維持することが可能になる。
【００４７】
なお、例示の転がり軸受の内輪に設けたねじ孔８は、内径側ねじ部８ｂのねじ山のピッチＰ２を外径側ねじ部８ａのねじ山のピッチＰ１よりも小さくしたが、内径側ねじ部８ｂのねじ山のピッチＰ２は外径側ねじ部８ａのねじ山のピッチＰ１よりも大きくてもよい。
【００４８】
そのように構成したねじ孔８も、外径側ねじ部８ａは止めねじ７の雄ねじ７ｂと同一規格のねじにする。これにより、内径側ねじ部８ｂに対する止めねじ７のねじ込みが開始されるまでは、ねじ込みトルクの上昇が起こらず、止めねじ７が内径側ねじ部８ｂにねじ込まれた後は、雄ねじと雌ねじの干渉により、緩み止めがなされる。
【符号の説明】
【００４９】
１          インサート軸受ユニット用転がり軸受
２          外輪
３          内輪
４          転動体
５          保持器
６          密封装置
７          止めねじ
７ａ        圧子
７ｂ        雄ねじ
８          ねじ孔
８ａ        外径側ねじ部
８ｂ        内径側ねじ部
１０        インサート軸受ユニット
１１        軸受箱
Ｐ１        外径側ねじ部のねじ山のピッチ
Ｐ２        内径側ねじ部のねじ山のピッチ
Ｌ          ねじ孔の傾斜の基準線
α          基準線に対するねじ孔の傾斜角
Ａｒ        回転軸
【図１】
2020139570.tif 000003
【図２】
2020139570.tif 000004
【図３】
2020139570.tif 000005